(57)【特許請求の範囲】
【請求項１】
通水の無い状態でバーナーを燃焼させて熱交換器内の湯温を次回の出湯に備えて所定温度範囲内に保温する機能を有する給湯器において
前記熱交換器の入側と出側の間に接続され、当該熱交換器を迂回させてその出側に給水を導くためのバイパス管と、当該バイパス管の途中に設けられ前記熱交換器の出側へ送り出される給水の流量を調整する流量制御弁と、前記熱交換器内の湯温を検知する温度センサと、通水の無い状態で前記バーナーの燃焼を制御する保温制御手段とを備え、
前記温度センサは、前記熱交換器内をそのケーシング側面から露出する部分で折り返して上下複数段に通る水管のうち少なくとも上段を除く前記バーナーの燃焼面に近いものの前記折り返し部分に設けられ、
前記保温制御手段は、前記温度センサの検知する温度が所定の下限温度に達したときに前記バーナーを燃焼させ、前記温度センサの検知する温度が所定の上限温度に達したときに前記バーナーを消火し、
前記所定の下限温度は、前記流量制御弁を最小流量に絞った場合の出湯温度が、設定温度を下回らない温度に設定され、
前記所定の上限温度は、前記流量制御弁を全開にして給水を混合した場合に出湯される湯温が設定温度を越えない範囲の温度に設定されたことを特徴とする給湯器。
【請求項２】
通水の無い状態でバーナーを燃焼させて熱交換器内の湯温を次回の出湯に備えて所定温度範囲内に保温する機能を有する給湯器において
前記熱交換器の入側と出側の間に接続され、当該熱交換器を迂回させてその出側に給水を導くためのバイパス管と、当該バイパス管の途中に設けられ前記熱交換器の出側へ送り出される給水の流量を調整する流量制御弁と、前記熱交換器内の湯温を検知する温度センサと、通水の無い状態で前記バーナーの燃焼を制御する保温制御手段とを備え、
前記温度センサは、前記熱交換器内をそのケーシング側面から露出する部分で折り返して上下複数段に通る水管のうちの下段の水管が前記ケーシング側面から露出して折り返す部分に設けられ、
前記保温制御手段は、前記温度センサの検知する温度が所定の下限温度を下回ったときに前記バーナーを燃焼させ、前記温度センサの検知する温度が所定の上限温度に達したときに前記バーナーを消火し、
前記所定の下限温度は、前記流量制御弁を最小流量に絞った場合の出湯温度が、設定温度を下回らない温度に設定され、
前記所定の上限温度は、前記流量制御弁を全開にして給水を混合した場合に出湯される湯温が設定温度を越えない範囲の温度に設定されたことを特徴とする給湯器。
【請求項３】
通水の無い状態でバーナーを燃焼させて熱交換器内の湯温を次回の出湯に備えて所定温度範囲内に保温する機能を有する給湯器において
前記熱交換器を出た直後の湯温を検知するための温度センサと、前記熱交換器内の湯温を検知する温度センサと、通水の無い状態で前記バーナーの燃焼を制御する保温制御手段とを備え、
前記熱交換器内の湯温を検知する温度センサは、前記熱交換器内をそのケーシング側面から露出する部分で折り返して上下複数段に通る水管のうち少なくとも上段を除く前記バーナーの燃焼面に近いものの前記折り返し部分に設けられ、
前記保温制御手段は、前記熱交換器を出た直後の湯温を検知するための温度センサの検知する温度を基にして前記バーナーの点火を行い、少なくとも前記熱交換器内の湯温が所定の上限温度を越えたか否かを前記熱交換器内の湯温を検知する温度センサの検知する温度を基に判定して前記バーナーの消火を行うことを特徴とする給湯器。
【請求項４】
前記保温制御手段は、前記温度センサの検知する温度を基にして前記熱交換器内の湯が沸騰する前に前記バーナーの消火を行うことを特徴とする請求項１、２または３記載の給湯器。
【発明の詳細な説明】
【０００１】
【発明の属する技術分野】
本発明は、通水の無い状態でバーナーを燃焼させて熱交換器内の湯温を次回の出湯に備えて所定温度範囲内に保温する機能を有する給湯器に関する。
【０００２】
【従来の技術】
従来から使用されている給湯器には、開栓当初からできるだけ設定温度に近い温度の湯を出湯するため、通水の無い状態で熱交換器内の湯を所定温度範囲に保温する機能を備えたものがある。
【０００３】
熱交換器で加熱された後の湯に予め定めた固定バイパス比で給水を混合して出湯する給湯器では、出湯開始時に予期しない高温の湯が出ないようにするため、通常、熱交換器内で最終的に最も熱くなる箇所の湯温が所定の下限温度を下回ったときバーナーを点火し、熱交換器内の湯を保温している。
【０００４】
バーナーが燃焼している最中は、熱交換器内に上下複数段に配された水管のうち、バーナーに近い下段の水管内の湯が最も高温になるが、バーナーを消火した後の余熱によるあと沸きや対流等により、消火後ある程度時間が経過すると、熱交換器の上段の水管内の湯が最も熱くなる。そこで、最終的に最も高温の湯の集まる上段の水管に温度センサを取り付け、当該温度センサで検知される温度が下限温度を下回ったときバーナーを点火するようになっている。
【０００５】
一方、上段の水管内の湯温はバーナーを点火してもすぐに上昇しないので、点火後、予め定めた時間（たとえば２秒）が経過したときバーナーを消火するか、あるいは熱交換器内の湯が上限温度に上昇するまでの燃焼時間を演算で求め、点火後、当該時間が経過したときバーナーを消火していた。
【０００６】
【発明が解決しようとする課題】
給水を固定バイパス比で混合して出湯する給湯器では、たとえば、加熱後の湯と給水との混合比が８：２の場合、出湯開始時の湯温を設定温度の±３℃程度に収めるためには、熱交換器内の湯温を目標温度に対して±５℃程度の狭い温度範囲の中で保温する必要がある。このため、１回当たりの燃焼量が少なく、かつ１分程度の短い間隔で頻繁にバーナーを点火しなければならないので、保温のための燃焼制御が複雑化するとともに出湯開始時の湯温を確実に許容範囲内に収めることが難しかった。
【０００７】
そこで、許容される保温温度範囲を広くして燃焼制御を簡略化するとともに出湯開始時の湯温を許容温度範囲内に確実に収めるため、バイパス比を可変にし、加熱後の湯に給水を任意の比率で混合することが考えられる。このような可変バイパス比にする利点を最大限に引き出すためには、保温温度の上限温度をできるだけ高くして下限温度から上限温度までの温度幅を大きくし、１回当たりの燃焼時間を極力長くしてバーナーの燃焼回数を少なくする必要がある。一方、バーナーを長く燃焼させると、当該バーナーによって直接的に加熱される熱交換器下段の水管内の湯だけが部分的に沸騰してしまう。
【０００８】
このような部分的沸騰は熱交換器にとって好ましくなく防止しなければならないが、熱交換器の上段の水管に設けた温度センサでは、下段の水管内の湯温の上昇を的確に検知できないので、沸騰直前にバーナーを消火するような燃焼制御を行うことができない。このため、バイパス比を可変にすることによる利点を十分に引き出すことができないという問題があった。
【０００９】
本発明は、このような従来の技術が有する問題点に着目してなされたもので、通水の無い状態でバーナーを燃焼させて熱交換器内の湯温を次回の出湯に備えて所定温度範囲内に保温する際に、温度センサの検知する実測の湯温に基づいてバーナーの消火を行うことのできる給湯器を提供することを目的にしている。
【００１０】
【課題を解決するための手段】
かかる目的を達成するための本発明の要旨とするところは、次の各項の発明に存する。
［１］通水の無い状態でバーナー（２０）を燃焼させて熱交換器（３０）内の湯温を次回の出湯に備えて所定温度範囲内に保温する機能を有する給湯器において
前記熱交換器（３０）の入側と出側の間に接続され、当該熱交換器（３０）を迂回させてその出側に給水を導くためのバイパス管（１４）と、当該バイパス管（１４）の途中に設けられ前記熱交換器（３０）の出側へ送り出される給水の流量を調整する流量制御弁（１５）と、前記熱交換器（３０）内の湯温を検知する温度センサ（４４）と、通水の無い状態で前記バーナー（２０）の燃焼を制御する保温制御手段（５１）とを備え、
前記温度センサ（４４）は、前記熱交換器（３０）内をそのケーシング側面から露出する部分で折り返して上下複数段に通る水管（３１ａ、３１ｂ）のうち少なくとも上段を除く前記バーナー（２０）の燃焼面に近いものの前記折り返し部分に設けられ、
前記保温制御手段（５１）は、前記温度センサ（４４）の検知する温度が所定の下限温度に達したときに前記バーナー（２０）を燃焼させ、前記温度センサ（４４）の検知する温度が所定の上限温度に達したときに前記バーナー（２０）を消火し、
前記所定の下限温度は、前記流量制御弁（１５）を最小流量に絞った場合の出湯温度が、設定温度を下回らない温度に設定され、
前記所定の上限温度は、前記流量制御弁（１５）を全開にして給水を混合した場合に出湯される湯温が設定温度を越えない範囲の温度に設定されたことを特徴とする給湯器。
【００１１】
［２］通水の無い状態でバーナー（２０）を燃焼させて熱交換器（３０）内の湯温を次回の出湯に備えて所定温度範囲内に保温する機能を有する給湯器において
前記熱交換器（３０）の入側と出側の間に接続され、当該熱交換器（３０）を迂回させてその出側に給水を導くためのバイパス管（１４）と、当該バイパス管（１４）の途中に設けられ前記熱交換器（３０）の出側へ送り出される給水の流量を調整する流量制御弁（１５）と、前記熱交換器（３０）内の湯温を検知する温度センサ（４４）と、通水の無い状態で前記バーナー（２０）の燃焼を制御する保温制御手段（５１）とを備え、
前記温度センサ（４４）は、前記熱交換器（３０）内をそのケーシング側面から露出する部分で折り返して上下複数段に通る水管（３１ａ、３１ｂ）のうちの下段の水管（３１ａ）が前記ケーシング側面から露出して折り返す部分に設けられ、
前記保温制御手段（５１）は、前記温度センサ（４４）の検知する温度が所定の下限温度を下回ったときに前記バーナー（２０）を燃焼させ、前記温度センサ（４４）の検知する温度が所定の上限温度に達したときに前記バーナー（２０）を消火し、
前記所定の下限温度は、前記流量制御弁（１５）を最小流量に絞った場合の出湯温度が、設定温度を下回らない温度に設定され、
前記所定の上限温度は、前記流量制御弁（１５）を全開にして給水を混合した場合に出湯される湯温が設定温度を越えない範囲の温度に設定されたことを特徴とする給湯器。
【００１２】
［３］通水の無い状態でバーナー（２０）を燃焼させて熱交換器（３０）内の湯温を次回の出湯に備えて所定温度範囲内に保温する機能を有する給湯器において
前記熱交換器（３０）を出た直後の湯温を検知するための温度センサ（４３）と、前記熱交換器（３０）内の湯温を検知する温度センサ（４４）と、通水の無い状態で前記バーナー（２０）の燃焼を制御する保温制御手段（５１）とを備え、
前記熱交換器（３０）内の湯温を検知する温度センサ（４４）は、前記熱交換器（３０）内をそのケーシング側面から露出する部分で折り返して上下複数段（３１ａ、３１ｂ）に通る水管のうち少なくとも上段を除く前記バーナー（２０）の燃焼面に近いものの前記折り返し部分に設けられ、
前記保温制御手段（５１）は、前記熱交換器（３０）を出た直後の湯温を検知するための温度センサ（４３）の検知する温度を基にして前記バーナー（２０）の点火を行い、少なくとも前記熱交換器（３０）内の湯温が所定の上限温度を越えたか否かを前記熱交換器（３０）内の湯温を検知する温度センサ（４４）の検知する温度を基に判定して前記バーナー（２０）の消火を行うことを特徴とする給湯器。
【００１４】
［４］前記保温制御手段（５１）は、前記温度センサ（４４）の検知する温度を基にして前記熱交換器（３０）内の湯が沸騰する前に前記バーナー（２０）の消火を行うことを特徴とする［１］、［２］または［３］記載の給湯器。
【００１５】
前記本発明は次のように作用する。
温度センサ（４４）は、熱交換器（３０）内をそのケーシング側面から露出する部分で折り返して上下複数段に通る水管（３１ａ、３１ｂ）のうち少なくとも上段を除いたバーナー（２０）の燃焼面に近いものの折り返し部分に設けられている。保温制御手段（５１）は、温度センサ（４４）の検知する温度が所定の下限温度を下回ったときに前記バーナー（２０）を燃焼させ、前記温度センサ（４４）の検知する温度が所定の上限温度に達したときに前記バーナー（２０）を消火する。
【００１６】
通水の無い状態でバーナー（２０）を燃焼させると、熱交換器（３０）を通る水管（３１ａ、３１ｂ）のうちバーナー（２０）に近い下段に配置されたもの（３１ａ）は、点火後の加熱量に応じてその管内の水温が俊敏に上昇する。したがって、下段の水管（３１ａ）に温度センサ（４４）を設けることにより、当該温度センサ（４４）の検知する温度を基にしてバーナー（２０）の消火を行うことができる。なお、温度センサ（４４）は、熱交換器（３０）内を上下複数段に通る水管（３１ａ、３１ｂ）のうち最下段の水管（３１ａ）に設けることが望ましい。
【００１７】
また、熱交換器（３０）を迂回させてその出側に給水を導くバイパス管（１４）と、当該バイパス管（１４）の途中に当該バイパス管（１４）を通る給水の流量を調整する流量制御弁（１５）とを設けたものでは、出湯される湯の温度を流量制御弁（１５）の開度によって調整できるので、保温の上限温度、すなわちバーナー（２０）を消火する際の湯温を、管内の湯が沸騰する前であれば適宜の温度に設定することができる。たとえば沸騰直前の温度に設定したり、流量制御弁（１５）を調整することで設定温度まで湯温を低下させ得る上限の温度に設定することができる。バーナー（２０）を点火する下限の温度も流量制御弁（１５）の開度によって設定でき、例えば、流量制御弁（１５）を最小流量に絞った場合の出湯温度が、設定温度を下回らない温度に設定することができる。このとき、上限温度は、例えば、流量制御弁（１５）を全開にして給水を混合した場合に出湯される湯温が設定温度を越えない範囲の温度に設定する。
【００１８】
その結果、熱交換器（３０）内の湯温が保温の下限温度に低下するまでの時間が長くなり、バーナー（２０）の点火回数が減少し、ガス電磁弁等の耐久上好ましく、バイパス比を可変にしたことによるメリットを十分に引き出すことができる。また熱交換器（３０）内の湯を保温する際の許容温度範囲が広くなるので、たとえば、バーナー（２０）を点火するタイミングをある程度大まかに設定することができ、熱交換器（３０）上段に別途温度センサ（４３）を設けなくても、下段の水管（３１ａ）に設けた温度センサ（４４）の検知する温度を基にしてバーナー（２０）の点火タイミングを判断でき、装置構成の簡略化を図ることができる。
また、熱交換器（３０）を出た直後の湯温を検知するための温度センサ（４３）を設けてあるものの場合には、保温制御手段（５１）は、前記温度センサ（４３）の検知する温度を基にして前記バーナー（２０）の点火を行い、少なくとも熱交換器（３０）内の湯温が所定の上限温度を越えたか否かを当該温度センサ（４４）の検知する温度を基に判定してバーナー（２０）の消火を行う。これにより意図しない高温の湯が出ることを防止できる。
【００１９】
【発明の実施の形態】
以下、図面に基づき本発明の一実施の形態を説明する。
各図は本発明の一実施の形態を示している。
図１に示すように本実施の形態にかかる給湯器１０は、バーナー２０と、これの上方に配置された熱交換器３０とを備えている。熱交換器３０の入側には給水管１１が、出側には出湯管１２がそれぞれ接続されている。給水管１１には、通水の有無および通水量を検知するフローセンサ１３が介挿されている。また出湯管１２の延設先の端部には水栓５が取り付けられている。
【００２０】
熱交換器３０の出側と入側の間には、給水管１１から出湯管１２へ熱交換器３０を迂回させて給水を直接流すためのバイパス管１４が設けられている。バイパス管１４の途中には、流量制御弁１５が介挿されており、熱交換器３０をバイパスさせる給水の量を適宜調整し得るようになっている。フローセンサ１３の近傍には、給水温度を検知するための入水サーミスタ４１が、また出湯管１２には、熱交換器３０からの湯とバイパス管１４からの給水とが混合した後の湯温（出湯温度）を検知するための出湯サーミスタ４２がそれぞれ取り付けてある。
【００２１】
熱交換器３０の出口部近傍の水管には熱交換器３０を出た直後の湯温を検知するための熱交サーミスタ４３が設けてある。熱交換器３０内を通る水管３１ａ、３１ｂは、図２に示すように、熱交換器３０のケーシング側面から露出する部分で折り返して熱交換器３０内を何度も通るとともに、上下２段になるよう配置されている。給水管１１からの給水は、下段の水管３１ａを経由した後、上段の水管３１ｂを経由し、最終的に出湯管１２へ流れ出るようになっている。下段の水管３１ａがケーシング側面から露出して折り返す部分（Ｕベンド部）には、当該箇所における湯温を検知する水管サーミスタ４４が設けられている。
【００２２】
バーナー２０は燃焼面２１ａ〜２１ｃを備え、中央に配置された燃焼面２１ｂの近傍に点火装置２２が配置されている。バーナー２０には、ガス供給管２３が接続されている。ガス供給管２３の途中には、バーナー２０へ供給するガス量を制御するためのガス比例弁２４のほか図示しないガス電磁弁およびバーナー２０の有する燃焼面２１ａ〜２１ｃのうち燃焼させるものを選択するためのガス切替弁等が設けられている。給排気は、燃焼ファン１６によってバーナー２０の下方側から給気を送風することによって強制的に行われる。
【００２３】
給湯器１０は、バーナー２０の燃焼制御や流量制御弁１５の開閉のほか給湯器１０の動作を統括的に制御する制御部５０と、風呂リモコン、メインリモコンなどを含む操作部６０とを備えている。制御部５０は、次回の出湯に備えて熱交換器３０内の湯温を所定の温度範囲に保温するために通水の無い状態でバーナー２０の燃焼制御を行う保温制御部５１を備えている。
【００２４】
図１には明示していないが、制御部５０には、入水サーミスタ４１、出湯サーミスタ４２、熱交サーミスタ４３、水管サーミスタ４４、フローセンサ１３、流量制御弁１５、燃焼ファン１６、点火装置２２、ガス比例弁２４など給湯器１０内の各種電装部品が接続されている。なお、制御部５０は、ＣＰＵ（中央処理装置）、ＲＯＭ（リード・オンリ・メモリ）、ＲＡＭ（ランダム・アクセス・メモリ）等を主要部とする回路で構成されている。
【００２５】
次に作用を説明する。
通水の無い状態でバーナー２０を燃焼させると、熱交換器３０を通る水管３１ａ、３１ｂのうち下段に配置されたもの３１ａはバーナー２０に近いので、その管内の水温は点火後の加熱量に応じて俊敏に上昇する。一方、上段の水管３１ｂは、バーナー２０から比較的遠くに配置されているので、管内の水温が上昇するのにある程度の時間（伝熱時間）を要する。特に、保温のための燃焼は、所定の最小燃焼量で行われるので炎が小さく、このように炎が小さい場合には燃焼によって発生する熱の大半を下段の水管３１ａで吸収してしまい下段の水管３１ａと上段の水管３１ｂにおける湯温に大きな温度差が生じる。
【００２６】
このように上段の水管３１ｂ内の湯温がバーナー２０の燃焼に応じて即座に上昇しないのに対し、下段の水管３１ａ内の湯温はバーナーの燃焼に応じて素早く上昇するので、下段の水管３１ａのＵベント部に設けた水管サーミスタ４４で温度検知することにより、バーナー２０の燃焼中に最も沸騰しやすい箇所の湯温を的確に計ることができる。またＵベント部は、バーナー２０の炎からの熱を直接受けないとともに折り返す前後の水管の双方から熱が伝導するので、下段の水管３１ａ内の湯温を的確に検知することができる。
【００２７】
そこで、水管サーミスタ４４の検知する温度を基にしてバーナー２０の消火タイミングを判定すれば、水管３１ａ内で沸騰の生じる直前にバーナー２０を消火することができ、沸騰の生じない範囲で、バーナー２０を最大限に長く燃焼させることができる。
【００２８】
保温制御部５１は、熱交換器３０内の湯温を所定の温度範囲に保温するとき、水管サーミスタ４４の検知する温度を監視し、当該温度が所定の下限温度まで低下したとき、バーナー２０を点火する。このとき、保温制御部５１は、予め定めた最小燃焼量でバーナー２０を燃焼させる。ここでは、３つの燃焼面２１ａ〜２１ｃのうち中央に配置された燃焼面２１ｂだけを燃焼させることで、より小さい燃焼量でバーナー２０を燃焼させている。
【００２９】
またバーナー２０の点火タイミングの判定基準となる下限温度は、流量制御弁１５を最小流量に絞った場合の出湯温度が、設定温度を下回らない温度に設定される。なお、制御の簡略化等を図るため、設定温度の最高値に対応する温度を下限温度として固定的に設定するようにしてもよい。
【００３０】
バーナー２０を点火した後も、保温制御部５１は水管サーミスタ４４の検知する温度を監視し、当該温度が予め定めた上限温度に達したとき、バーナー２０を消火する。ここでは、消火の基準となる上限温度は、流量制御弁１５を全開にして給水を混合した場合に出湯される湯温が設定温度を越えず、かつ下段の水管３１ａ内で沸騰が生じない範囲の温度に設定される。
【００３１】
このような保温状態から出湯が開始されると、制御部５０は、出湯サーミスタ４２によって検知される出湯温度が設定温度になるように流量制御弁１５の開度を逐次調整する。この際、流量制御弁１５の開度を次第に絞り、予め定めた最小開度の状態で設定温度の湯が出るようにバーナー２０の燃焼量等も制御する。
【００３２】
出湯が開始される前の保温状態における流量制御弁１５の開度は、熱交換器３０内の湯温と、給水温度と、設定温度とを基に、出湯当初から設定温度の湯を出すことのできる流量に設定される。なお、安全性と制御の簡略化を図るため、保温状態において流量制御弁１５をほぼ全開の状態に設定するようにしてもよい。
【００３３】
このように、水管サーミスタ４４は、バーナー２０の燃焼による湯温の上昇をいち早く検知するので、当該水管サーミスタ４４の検知する温度を基にバーナー２０の消火タイミングを判断することで、バーナー２０の燃焼中に熱交換器３０内で最も高温になる部分の湯が沸騰する直前や目標上限温度に至った時点ではバーナー２０の燃焼を的確に停止することができる。
【００３４】
その結果、熱交換器３０内の湯温が保温すべき温度範囲の下限に低下するまでの時間が長くなり、バーナー２０の点火回数が減少し、ガス電磁弁等の耐久上も好ましい動作になる。また流量制御弁１５によって給水の混合比を制御して出湯温度を調整するので、熱交換器３０内の湯を保温する際の許容温度範囲が広くなり、たとえば、バーナー２０の点火タイミングをある程度大まかに設定することができる。
【００３５】
すなわち、バーナー２０を点火するタイミングは、厳密には熱交換器３０の上部に配置された熱交サーミスタ４３の検知する温度を基準に判断すべきである。これは、先にも説明したように、バーナー２０の燃焼を停止した後ある程度の時間が経過すると、熱交換器３０の上段の水管３１ｂ内の湯温が最も高くなるので、当該箇所の湯温が下限温度を下回ったときバーナー２０を点火することで意図しない高温の湯が出ることを防止できるからである。
【００３６】
しかしながら、本実施の形態における給湯器１０では、流量制御弁１５によって出湯温度を自在に調整することができるので、水管サーミスタ４４の検知する温度を基準にバーナー２０の点火制御を行っても安全性に支障を来すことがない。その結果、熱交サーミスタ４３を取り払うことも可能になる。
【００３７】
以上説明した実施の形態では、給湯機能のみを単独に備える給湯器を例に説明したが、風呂への注湯や追い焚き機能を兼ね備えた風呂釜付き給湯器であってもよい。また風呂釜付き給湯器とした場合、風呂の追い焚きと、給湯とを別々の熱交換器で行うものであっても、共通の熱交換器で行ういわゆる１缶２水路型のものであってもよい。
【００３８】
また実施の形態では、熱交換器３０の水管が上下２段に配置されるものを示したが、上下に３段や４段に配置されるものであってもよい。この場合、水管サーミスタ４４を最下段の水管のＵベント部に設けることが最も好ましいが、最上段以外の段の水管に水管サーミスタ４４を設けるようにしてもよい。
【００３９】
さらに実施の形態では水管サーミスタ４４を用いてバーナー２０の点火タイミングを判定しているが、点火のタイミングを熱交サーミスタ４３の検知する湯温を基に判定してもよい。またバイパス比が固定の場合であっても水管サーミスタ４４の検知する湯温を基準にバーナー２０の消火タイミングを判定すれば、バーナー２０の燃焼直後に開栓されたような場合でも、意図しない熱い湯の出ることを防止できるという効果を有する。なお、固定バイパス比の場合には、水管サーミスタ４４の検知する温度が、設定温度と給水温度とバイパス比とから求まる目標上限温度に達したとき、バーナー２０を消火するようにすればよい。
【００４０】
【発明の効果】
本発明にかかる給湯器によれば、バーナーの燃焼に応じて素早く湯温の上昇する下段の水管に温度センサを設けたので、当該温度センサの検知する温度に基づいてバーナーの消火タイミングを判断することができる。
【００４１】
また熱交換器を迂回させて給水を熱交換器の出側に導くバイパス管と、当該バイパス管の途中にその流量を調整する流量制御弁とを設けたものでは、流量制御弁の開度によって出湯される湯の温度を調整することができるので、保温の上限温度、すなわちバーナーを消火する際の湯温を、たとえば沸騰直前の温度に設定したり、流量制御弁の流量を調整することで設定温度の湯を出し得る上限の温度に設定することができる。
【００４２】
その結果、熱交換器内の湯温が保温の下限温度に低下するまでの時間が長くなり、バーナーの点火回数が減少し、バイパス比を可変にすることによる利点を十分に引き出すことができる。
【００４３】
また熱交換器内の湯を保温する際の許容温度範囲が広くなるので、たとえば、バーナーを点火するタイミングをある程度大まかに設定することができ、熱交換器上部に別途温度センサを設けなくても、下段の水管に設けた温度センサの検知する温度を基にしてバーナーの点火タイミングも判断でき、装置構成の簡略化を図ることができる。
【図面の簡単な説明】
【図１】本発明の一実施の形態に係る給湯器の概略構成を示す説明図である。
【図２】本発明の一実施の形態に係る給湯器の有する熱交換器を示す斜視図である。
【符号の説明】
５…水栓
１０…給湯器
１１…給水管
１２…出湯管
１３…フローセンサ
１４…バイパス管
１５…流量制御弁
２０…バーナー
２２…点火装置
２３…ガス供給管
２４…ガス比例弁
３０…熱交換器
３１ａ…下段の水管
３１ｂ…上段の水管
４２…出湯サーミスタ
４４…水管サーミスタ
５０…制御部
５１…保温制御部
【図１】
0003834390.tif 000002
【図２】
0003834390.tif 000003